(57)【要約】【課題】告知放送の再生音量が小さく絞り込まれても、緊急を要する場合に大きな音で告知放送を再生できること。【解決手段】緊急を要する告知放送１４がされたとき、スピーカ５からの再生音量を、緊急用として所定位置まで増大させる制御部４１を備え、制御部４１は、告知放送１４のデータに付加されている緊急情報１４ａを受信すると、電子ボリューム７を、予め設定されている所定の再生音量となるよう制御し、告知放送１４を増大された音声で再生できる。センター装置１は、告知放送１４の送信に際し、告知放送１４のデータ１４ｂに付加部１５によって緊急情報１４ａを付加させ、緊急情報１４ａ付きの告知放送１４を送信する。【選択図】　図３
2004096697.tif 000002
【特許請求の範囲】
【請求項１】
加入者の各々が選択的に視聴可能に放送映像を送信する一方、加入者の各々が再生音を聞けるように告知放送を送信するように構成した光伝送有線放送方法において、
緊急を要する告知放送が送信されたとき、加入者が聞くべき前記告知放送の再生音量を、予め設定された位置まで増大するようにしたことを特徴とする光伝送有線放送方法。
【請求項２】
加入者に対して放送映像及び告知放送をそれぞれ送信するセンター装置と、該センター装置からの放送映像を選択的に視聴する視聴端末器と、センター装置からの告知放送を聞くための告知端末器とを備えた光伝送有線放送設備において、
センター装置から緊急を要する告知放送しているとき、告知端末器の再生音を、予め設定された音量に増大させる音量制御手段を備えることを特徴とする光伝送有線放送設備。
【請求項３】
請求項２記載の光伝送有線放送設備において、
前記音量制御手段は、センター装置から送信される緊急の告知放送のデータに緊急情報を付加させる付加部と、告知放送の緊急情報を受信した時点で、告知端末器のスピーカの再生音量を調整するボリュームを、所定音量まで増大させる制御部とを備えていることを特徴とする光伝送有線放送設備。
【請求項４】
請求項３記載の光伝送有線放送設備において、
前記制御部は、緊急情報を有する告知放送を受信し終えた時点で、告知端末器のスピーカの再生音量を元の位置に戻す復帰手段を備えることを特徴とする光伝送有線放送設備。
【発明の詳細な説明】
【０００１】
【発明の属する技術分野】
本発明は、センター装置から加入者に放送映像を送信する光伝送有線放送方法とその設備に係り、特に加入者に対し再生音で告知する告知放送機能を備えた技術に関する。
【０００２】
【従来の技術】
一般に、ＣＡＴＶ網の光伝送有線放送システムにあっては、センター装置から加入者に放送映像が分配して送信され、加入者が特定の放送映像を選択することで視聴できるように構成されており、そのため、加入者宅には、放送映像を選択して視聴できるように、受信機能及び選局機能を有するテレビチューナーが備えられている。
【０００３】
また、このような光伝送有線放送システムは、サービスの一つとして地域的に告知放送を行っていることがある。その場合、加入者宅には、テレビチューナーとは別に告知端末器が設置され、告知端末器がセンター装置からの告知放送を受信すると、告知端末器のスピーカから音声が再生されることにより、加入者が告知放送を聞くことができるようになっている。
【０００４】
【発明が解決しようとする課題】
上述のように、告知放送機能を有する従来の光伝送有線放送システムにおいては、上述のように、告知端末器のスピーカから音声が再生されることによって加入者が告知放送を聞くことができるようになっている。
【０００５】
しかしながら、加入者によっては、告知放送の音が騒々しく感じる場合もあることから、スピーカから出力される再生音量を絞り込み、小さな音量で聞いていることが多々ある。そのため、告知端末器の再生音量が絞り込まれた状態にあると、例えば地震や津波等のような重大な告知放送が行われた場合、小さな音量のままであるので、重大な告知放送していることに気付かず、場合によっては大惨事となるおそれもある。
【０００６】
本発明は、上記従来技術の問題点に鑑み、その目的とするところは、告知放送の再生音量が小さく絞り込まれていても、緊急を要する場合には、自動的に大きな音で告知放送を再生させることができる光伝送有線放送方法を提供することにあり、他の目的は、上記方法を的確に実施し得る光伝送有線放送設備を提供することにある。
【０００７】
【課題を解決するための手段】
上記課題を解決するために本発明においては、以下の手段を採用している。
請求項１の発明は、加入者の各々が選択的に視聴可能に放送映像を送信する一方、加入者の各々が再生音を聞けるように告知放送を送信するように構成した光伝送有線放送方法において、緊急を要する告知放送が送信されたとき、加入者が聞くべき前記告知放送の再生音量を、予め設定された位置まで増大するようにしたことを特徴とする。
【０００８】
この発明に係る光伝送有線放送方法によれば、緊急を要する告知放送しているとき、告知放送の音量が増大されるので、告知端末器のスピーカの音量が絞られてあっても、また周辺が騒々しい場合であっても、緊急の告知放送を確実に聞くことができ、緊急放送の機能を良好に果たすことができる。
【０００９】
請求項２の発明は、加入者に対して放送映像及び告知放送をそれぞれ送信するセンター装置と、該センター装置からの放送映像を選択的に視聴する視聴端末器と、センター装置からの告知放送を聞くための告知端末器とを備えた光伝送有線放送設備において、センター装置から緊急を要する告知放送しているとき、告知端末器の再生音を、予め設定された音量に増大させる音量制御手段を備えることを特徴とする。
【００１０】
この発明の光伝送有線放送設備によれば、緊急を要する告知放送がセンター装置によってなされたとき、告知端末器のスピーカからの音量が増大されるので、スピーカの音量が絞られてあっても、また周辺が騒々しい場合であっても、緊急の告知放送をスピーカから確実に聞くことができ、緊急放送の機能を良好に果たすことができる。
【００１１】
請求項３の発明は、請求項２記載の光伝送有線放送設備において、前記音量制御手段は、センター装置から送信される緊急の告知放送のデータに緊急情報を付加させる付加部と、告知放送の緊急情報を受信した時点で、告知端末器のスピーカの再生音量を調整するボリュームを、所定音量まで増大させる制御部とを備えていることを特徴とする。
【００１２】
この発明の光伝送有線放送設備によれば、制御部が、センター装置から送信された告知放送の緊急情報を受信した時点で、告知端末器のスピーカのボリュームを所定音量まで増大させるので、緊急の告知放送がされたとき、告知端末器の再生音量が確実に大きくなる。
【００１３】
請求項４の発明は、請求項３記載の光伝送有線放送設備において、前記制御部は、緊急情報を有する告知放送を受信し終えた時点で、告知端末器のスピーカの再生音量を元の位置に戻す復帰手段を備えることを特徴とする。
【００１４】
この発明の光伝送有線放送設備によれば、緊急の告知放送が終了すると、告知端末器のスピーカの再生音が元の状態に戻るので、加入者がいちいち元の音量に戻すことが不要になる。
【００１５】
【発明の実施の形態】
以下、本発明の実施の形態を、図面に基づいて説明する。図１〜図３は本発明による光伝送有線放送方法を実施するための光伝送有線放送設備の一実施形態を示す図であって、図１は光伝送有線放送設備におけるセンター装置と加入者との関係を示す概略図、図２は図１の光伝送有線放送設備における加入者側の構成を示す説明図、図３は光伝送有線放送設備における加入者側の告知端末器の構成を示すブロック図である。
この実施形態の光伝送有線放送設備１０は、図１に示すように、センター装置１から多重化された放送映像１１が送信部１２によって加入者２に送信されることにより、加入者２が映画等の映像を視聴できるようになっている。また、センター装置１は、告知放送１３を行う必要があると、その時点で、送信部１２によって映像放送１１と共に告知放送１３をも送信することで、加入者２が告知放送１３を聞くことができるようになっている。
【００１６】
そのため、詳細に図示していないが、センター装置１においては、放送サービス用の複数チャネルからなる映像信号を所定の帯域内の搬送波周波数を用いることで変調し、かつ周波数多重化して出力することで、多重化された映像信号１１が送信部１２によって加入者２のそれぞれに送信され、また、告知放送１３をする必要がある場合には、その告知放送１３も放送映像１１と共に周波数多重化して送信されるようになっている。
なお、図１において、符号８は分配器、１４及び１５は後述する告知放送及び付加部である。
【００１７】
一方、加入者２は、図２に示すように、センター装置１から送信された放送映像１１を選択することで、テレビ６によって所望チャネルの映像を視聴するためのテレビチューナー３を備えると共に、告知放送をスピーカ５から聞くための告知端末器４とを備えている。
告知端末器４は、告知放送を受信したとき、スピーカ５から音声を再生させることにより、加入者２が告知放送１３（及び告知放送１４）を聞くことができるようになっており、その際、スピーカ５の再生音量を調整するための電子ボリューム７が備えられている。
【００１８】
そして、この実施形態においては、センター装置１から図１のような緊急を要する告知放送１４がされたとき、スピーカ５からの再生音量を、緊急用として所定位置まで増大させる制御部４１を備えている。
【００１９】
即ち、制御部４１は、図３に示すように、センター装置１から通常の告知放送１３が送信されたとき、その告知放送１３のデータがイーサネットインターフェース（Ｅｔｈｅｒ　ＩＦ）４２を介して入力されると、デジタルシグナルプロセッサ（ＤＳＰ）４３が演算処理した後、パルスコードモジュレーション（ＰＣＭ）４４で変調し、電子ボリューム７によって調整された音量でスピーカ５から告知放送１３の音を再生させるようになっている。
【００２０】
その場合、制御部４１は、センター装置１から緊急を要する告知放送１４が送信されたとき、告知放送１４に付加されている緊急情報１４ａを受信すると、電子ボリューム７を、予め緊急用として設定されている所定の再生音量となるよう破線ａの如く制御することにより、緊急用の告知放送１４が増大された音声で再生できるようになっている。この場合、スピーカ５から再生される増大された音量としては、スピーカ５の音量が最大となるようにしてもよいし、或いは、スピーカ５から出力される最大音量に対して９割程度とか８割程度の音量となるようにしてもよく、何れにしろ、通常聞かれる音量よりも大きくなるように設定されている。
【００２１】
従って、制御部４１は、緊急用の告知放送１４に際しては、緊急情報１４ａ付きの告知放送１４の信号が制御部４１に入力されると、緊急情報１４ａに基づいて電子ボリューム７を所定位置に制御することで、スピーカ５から大音量で告知放送できるようにしている。
【００２２】
一方、センター装置１においては、予め、告知放送の情報を符号化してパケット化することで、告知放送１３、１４の情報を管理することとなっている。そして、センター装置１は、緊急を要する告知放送１４の送信に際しては、図１に示すように、告知放送１４のデータ１４ｂに付加部１５によって緊急情報１４ａを付加させ、その緊急情報１４ａ付きの告知放送１４が放送映像１１と多重化して送信されるようになっている。
【００２３】
従って、この実施形態は、緊急を要する告知放送１４を行う場合、センター装置１における付加部１５と、告知端末器４における制御部４１とからなる音量制御手段によって、スピーカ５から通常より大きな再生音量で告知放送１４が行われるようになっている。
また、図示していないが、制御部４１は、緊急の告知放送１４を受信し終えると、スピーカ５の電子ボリューム７を元の位置に復帰させることで、加入者がいちいち元に戻すことがないようにしている。
【００２４】
このような告知放送１３、及び緊急情報１４ａ付きの告知放送１４のデータは、センター装置１では、符号化してパケット化されることで、過去の告知放送をデータ管理するのが好ましく、またＩＰ網を利用して送信されるようになっており、ブロードバンドに対応している。なお、本実施形態において、通常の告知放送１３とは、緊急性や重要性を要せず、かつ告知放送１４のような緊急情報１４ａを有しない、単なる告知用のデータ１３ａを有するものである（図３参照）。
【００２５】
この実施形態の光伝送有線放送設備１０は、上記の構成からなるので、次に、その動作に関連して本発明方法の光伝送有線放送方法の一実施形態について述べる。
いま、図１のようにセンター装置１から送信部１２によって放送映像１１が送信されていると、加入者２の各々は、自宅に設置されているテレビチューナー３を操作し、自分が選択した希望チャネルの放送映像１１をテレビ６で視聴することができる。
このとき、センター装置１で告知放送１３、１４を送信する必要が生じた場合、センター装置１は、その告知放送１３、１４を放送映像１１と共に多重化して送信することで、加入者宅に設置されている告知端末器４のスピーカ５から告知放送１３、１４が音声で再生されることとなる。
【００２６】
この場合、加入者がスピーカ５の音量を絞っている状態で通常の告知放送１３が行われた場合、小さな音量で再生されても問題ないものの、緊急を要する告知放送１４が行われると、加入者２に緊急用の告知放送１４であることを認識させることができないおそれがある。
【００２７】
しかしながら、センター装置１では、緊急の告知放送１４のとき、付加部１５によって告知放送１４に緊急情報１４ａが付加されると共に、緊急情報１４ａ付きの告知放送１４が送信されるので、その緊急情報１４ａが告知端末器４のイーサネットインターフェース４２を介して制御部４１に受信されると、制御部４１が図３に示すようにスピーカ５の電子ボリューム７を所定の位置に制御することにより、スピーカ５から増大した音量で再生されることとなる。
【００２８】
即ち、本発明においては、上述したように、緊急用の告知放送１４のとき、告知端末器４のスピーカ５から増大された音量で再生されるので、音量をさほど絞っていない状態で聞いている加入者２は勿論、音量を絞っている加入者であっても、緊急用の告知放送１４であることを明確に判断することができる。
【００２９】
従って、緊急かつ重大な告知放送１４のときに、スピーカ５から再生される音量が所定の大きさに増大されることで、加入者２の全員に対し、緊急用の告知放送１４であることを明確に判断させることができるので、緊急を要する告知放送１４としての機能を確実に果たすことができる。このように緊急用の告知放送１４の場合に、スピーカ５からの音量が増大されると、自宅で聞いている加入者２は勿論のこと、老人等のように耳の遠い人々、更には周囲が騒音に晒されている人々にも放送内容を明確に知らせることができ、光伝送有線放送設備１０の対象地域全体に良好に告知することができる。
【００３０】
また、音量制御手段４０は、緊急を要する告知放送が終了した時点で、電子ボリューム７を自動的に元の位置に戻すので、加入者が告知端末器４のスピーカ５の電子ボリューム７をいちいち元に戻すことがなくなり、加入者２に手間をかけるということもない。
【００３１】
【発明の効果】
以上説明したように、本発明によれば、センター装置から緊急を要する告知放送されたとき、加入者が聞くべき前記告知放送の再生音量を、予め設定された位置まで増大するようにしたので、緊急の告知放送のときには、告知端末器のスピーカの音量が絞られてあっても、また周辺が騒々しい場合であっても、確実に告知放送を聞くことができ、緊急放送の機能を良好に果たすことができる効果が得られる。
【図面の簡単な説明】
【図１】光伝送有線放送方法を実施するための光伝送有線放送設備の実施形態を示すセンター装置と加入者との関係を示す概略図である。
【図２】図１の光伝送有線放送設備における加入者側の構成を示す説明図である。
【図３】光伝送有線放送設備における加入者側の告知端末器の構成を示すブロック図である。
【符号の説明】
１　センター装置
２　加入者
３　テレビチューナー
４　告知端末器
５　スピーカ
７　電子ボリューム
１３　通常の告知放送
１４　緊急を要する告知放送
１４ａ　緊急情報
１５　付加部
４１　制御
【図１】
2004096697.tif 000003
【図２】
2004096697.tif 000004
【図３】
2004096697.tif 000005